(57)【要約】【課題】ＡＶ機器の音場設定等に見られる機器の環境設定は、ユーザの好みで決定される一方で、機器を起動する際には、機器の最終環境設定が適用され、ユーザが変更されると再設定処理が必要となる課題があった。【解決手段】本発明にかかる機器遠隔操作方法は、操作対象機器に対し、ユーザ登録を行い、遠隔操作を行う際に送信データ内にユーザＩＤを付加することで、ユーザの判別、およびユーザ毎の環境設定の記憶や読み出しを可能とする。さらに、機器操作プログラムを遠隔操作装置にダウンロードすることにより、必要最小限の記憶容量で様々な操作対象機器をサポートすることができる。【選択図】  図１
2005006241.tif 000002
【特許請求の範囲】
【請求項１】
ユーザを登録するステップａと、データを送信するステップｂと、データを受信するステップｃを備え、前記ステップａは、個人端末に対して操作プログラムを発行するステップａ１と、操作対象機器と個人端末に対してユーザ識別ＩＤを発行するステップａ２とを備えており、ステップｂとステップｃにおいて、前記操作プログラムと前記ユーザ識別子を利用して前記個人端末が前記操作対象機器を遠隔操作することを特徴とする機器遠隔操作方法。
【請求項２】
前記ステップｃは、登録されたユーザ毎に個別の環境設定を記憶するステップと、登録ユーザからの遠隔起動時に記憶している環境設定を有効にするステップを備えることを特徴する請求項１記載の機器遠隔操作方法。
【請求項３】
前記ステップａが、さらに、記憶媒体を使用し、前記操作対象機器が前記記憶媒体に発行データを記録するステップと、前記個人端末が前記記憶媒体に記録された発行データを読み出すステップとを備えていることを特徴とする、請求項１記載の機器遠隔操作方法。
【請求項４】
さらに、前記個人端末がネットワーク経由でサーバと接続されており、ステップａ１が、さらに、操作プログラムを個人端末に直接ダウンロードするステップを備えていることを特徴とする、請求項１記載の機器遠隔操作方法。
【請求項５】
ステップａ１が、個人端末の種類をユーザが選択するステップと、発行する操作プログラムを個人端末の種類によって切り換えるステップとを備えることを特徴とする、請求項１記載の機器遠隔操作方法。
【請求項６】
操作可能な個人端末を追加登録するステップをさらに備えることを特徴とする、請求項１記載の機器遠隔操作方法。
【請求項７】
前記操作対象機器がネットワークに接続されており、操作可能な個人端末の追加登録をネットワークダウンロードで行うステップをさらに備えることを特徴とする、請求項１記載の機器遠隔操作方法。
【請求項８】
請求項１から請求項７記載の機器遠隔操作方法をコンピュータに実行させるためのプログラム。
【請求項９】
請求項８記載のプログラムを担持した媒体であって、コンピュータにより処理可能な媒体。
【発明の詳細な説明】
【０００１】
【発明の属する技術分野】
本発明は、複数のユーザを持つ操作対象機器が複数台あり、各々の機器が多彩な設定値と情報を持つ環境下で、それらを各ユーザの個人的な環境設定下で操作するための方法および装置に関する。
【０００２】
【従来の技術】
多彩なコンテンツを有しているディジタルＴＶをはじめ、ＡＶアンプやＤＶＤプレイヤー等は様々な設定を行うことができる。また、複数のＡＶ機器を接続することで、さらに多種多様な楽しみ方ができる。現在、個々のＡＶ機器は電源を切る際に最終の設定値を記憶しており、また、複数のＡＶ機器を接続した際には１つのリモコンで操作できる等の工夫が見られる。さらには、携帯端末に操作プログラムを読み込み、個々のＡＶ機器に適した操作端末を構築する工夫も見られる（例えば、特許文献１参照）。
【０００３】
【特許文献１】
特開２００２−１９９４７５号公報
【０００４】
【発明が解決しようとする課題】
しかしながら、ユーザ毎に好みの音場設定や画面の明るさ、見たいコンテンツは様々である一方、その好みは日によって大きく変わることはない。従って、上記の特許文献１における構成は以下の課題を有しているといえる。すなわち、（１）機器が記憶しているのは、ユーザの環境設定ではなく、機器の環境設定であること、（２）ユーザが変わった場合、ユーザは自分の好みの環境設定を再度行う必要があるという課題を有している。
【０００５】
【課題を解決するための手段】
請求項１の発明は、データの送受信時にユーザ識別子を付加することで、どのユーザが操作しているかを判断する方法を提供する。これにより、ユーザ毎の環境設定の記憶、および読み出しが可能となる。
【０００６】
請求項２の発明は、ユーザの再設定操作を軽減する方法を提供する。これにより、ユーザ毎の環境設定読み出しが可能となり、ユーザは機器を起動するだけで、好みの環境設定を呼び出すことが可能となる。
【０００７】
請求項３から請求項７の発明は、ネットワークを介して必要十分な操作プログラムを操作対象機器または個人端末にダウンロードし、データの蓄積を可能にする方法を提供する。これにより、全てのＡＶ機器の全環境設定操作を必要最小限の記憶容量でサポートが可能であり、さらに、新たな操作を必要とする新機種への対応も容易となる。
【０００８】
【発明の実施の形態】
図１は、本発明の記録媒体を用いたユーザ登録機能の実施形態を表している。１０１は記憶媒体である。１１１は操作対象機器のオペレータで、ユーザの操作を管理し、各周辺装置に命令を出す。１１２はＩＤ発行装置で、オペレータ１１１から発行要求を受けると、新規にユーザ識別ＩＤを発行し、発行したユーザ識別ＩＤを記憶装置１１４に記憶するとともに、オペレータ１１１にユーザ識別ＩＤを発行する。１１３は操作プログラム発行装置で、オペレータ１１１から発行要求を受け取ると、操作プログラムをオペレータ１１１に発行する。オペレータ１１１は、ユーザ登録を行う際に、ＩＤ発行装置１１２と操作プログラム発行装置１１３にそれぞれ発行命令を出して、ユーザ識別ＩＤと操作プログラムを受け取り、記憶媒体１０１に書き込みを行う。また、１２１は個人端末のオペレータで、ユーザの操作を管理し、各周辺装置に命令を出す。ユーザ登録を行う際には、オペレータ１２１は記憶媒体１０１からデータを読み出し、ＩＤ記憶装置１２２にユーザ識別ＩＤを書き込み、操作プログラム記憶装置１２３に操作プログラムを書き込む。以上の操作で、ユーザ登録機能を実現できる。
【０００９】
図２は、本発明の個人端末での操作対象機器の操作と、個人端末毎の環境設定読み出しの実施形態を表している。ユーザ操作をオペレータ１２１で受け取り、オペレータ１２１は、ＩＤ記憶装置１２２と操作プログラム記憶装置１２３にアクセスすることで、送信すべきデータを取得する。送信データには、登録時のユーザ識別ＩＤと操作プログラムを介して得られる操作対象機器の操作情報が含まれる。取得したデータは送信装置１２４を用いて、操作対象機器に送信される。操作対象機器の受信装置１１５で受け取ったデータをオペレータ１１１に送る。オペレータ１１１は受け取ったデータをユーザ識別ＩＤと操作情報にそれぞれ分割する。オペレータ１１１はユーザ識別ＩＤを用いて、ＩＤ識別装置１１６にアクセスし、ユーザ識別ＩＤ毎の設定を読み出す。また、オペレータ１１１は、読み出した設定を有効にする命令と、前記で得られた操作情報に基づいた操作の実行命令を出す。さらに、オペレータ１１１は、個人端末での操作によって環境設定が更新された場合は、更新された設定を記憶装置１１４に記録する。以上の動作で各個人端末による環境設定の保存と読み出し、遠隔操作を実現できる。
【００１０】
図３は、本発明における操作可能な個人端末をネットワーク経由で追加登録するステップの実施形態を表している。操作対象機器は、必要な操作プログラムをネットワークインターフェイス１１７経由でサーバに要求する。サーバでは、ネットワークインターフェイス１３１でデータを受信し、オペレータ１３２に対してダウンロード要求を発行する。オペレータ１３２は発行されたダウンロード要求をもとに、記憶装置１３３にアクセスし、必要な操作プログラムのデータを取得する。オペレータ１３２は取得した操作プログラムをネットワークインターフェイス１３１経由で操作対象機器に配信する。操作対象機器は、配信されたデータを記憶装置１１４に記録する。以上の動作で操作可能な個人端末を追加登録が実現できる。
【００１１】
【発明の効果】
以上のように、本発明によれば、１つの個人端末で複数の操作対象機器を操作することが可能であり、また、操作対象機器を起動する際に、個人端末毎に環境設定を変更することが可能であり、ユーザメリットが高い。さらに、必要十分なデータのみを蓄積することが可能である。
【図面の簡単な説明】
【図１】本発明のユーザ登録機能の説明図
【図２】本発明の個人端末による操作、および個人設定の読み出しの説明図
【図３】本発明のネットワークダウンロードの説明図
【符号の説明】
１０１  記憶媒体
１１１  操作対象機器のオペレータ
１１２  ＩＤ発行装置
１１３  操作プログラムの発行装置
１１４  操作対象機器の記憶装置
１１５  受信装置
１１６  ＩＤ識別装置
１１７  操作対象機器のネットワークインターフェイス
１２１  個人端末のオペレータ
１２２  ＩＤ記憶装置
１２３  操作プログラム記憶装置
１２４  送信装置
１３１  サーバのネットワークインターフェイス
１３２  サーバのオペレータ
１３３  サーバの記憶装置
【図１】
2005006241.tif 000003
【図２】
2005006241.tif 000004
【図３】
2005006241.tif 000005